(57)【特許請求の範囲】
【請求項１】
操作面を有し、前記操作面から筐体内に水が浸入するのを防止した防水型携帯電話機において、
前記操作面側の所定の位置に配された所定数の電極を有する基板と、
前記基板を内部に実装するとともに、前記操作面側であって前記電極を含む領域で貫通した貫通穴を有する筐体と、
前記基板の前記操作面側に配されるとともに、前記貫通穴を内側から密封し、周縁部が前記基板の前記操作面側の面と前記貫通穴周縁部の内壁との間に配され、前記電極と対応する前記基板側の面に前記電極と接離する接点を有するゴムシートと、
前記貫通穴を外側から密封するとともに周縁部が前記貫通穴周縁部の外壁上に配されたキーボタン用シートと、前記接点と対応する前記キーボタン用シートの外側の面に配設されたキーボタンと、を備えたキーパットと、
前記キーパットを前記キーボタンを除いて覆うとともに、前記キーボタンと対応する位置に前記キーボタンを挿通する挿通孔を有し、前記キーボタン用シートの周縁部を前記貫通穴周縁部の外壁に押圧するようにして前記キーボタン用シートに圧接し、前記筐体に外側から取り外し可能に取り付けられるカバーと、を備えることを特徴とする防水型携帯電話機。
【請求項２】
前記ゴムシートは、前記接点と対応する前記操作面側の面に突起を有することを特徴とする請求項１記載の防水型携帯電話機。
【請求項３】
前記ゴムシートは、前記キーボタンと対応する前記基板側の面に突起を有することを特徴とする請求項１記載の防水型携帯電話機。
【請求項４】
前記ゴムシートは、その周縁部が前記基板の前記操作面側の面と前記貫通穴周縁部の内壁で挟持されることを特徴とする請求項１乃至３のいずれか一に記載の防水型携帯電話機。
【請求項５】
前記ゴムシートは、その周縁部と前記貫通穴周縁部とが接着して前記筐体と一体となることを特徴とする請求項１乃至３のいずれか一に記載の防水型携帯電話機。
【請求項６】
前記カバーは、前記筐体側の面に掛止爪を有し、
前記筐体は、前記掛止爪を係止する係止爪を有することを特徴とする請求項１乃至５のいずれか一に記載の防水型携帯電話機。
【請求項７】
前記カバーは、外側からネジ手段で前記筐体に固定されることを特徴とする請求項１乃至６のいずれか一に記載の防水型携帯電話機。
【請求項８】
前記カバーは、前記筐体の側端面を覆うことを特徴とする請求項１乃至７のいずれか一に記載の防水型携帯電話機。
【発明の詳細な説明】
【０００１】
【発明の属する技術分野】
本発明は、携帯電話機に関し、特に、操作面から筐体内に水が浸入するのを防止した防水型携帯電話機に関する。
【０００２】
【従来の技術】
携帯電話機は、通常、操作面にキーボタンを有し、キーボタンは、組立を容易にするため、予めシートに配設されたものが多い。また、キーボタンとシートとからなるキーパットは、部品点数削減のため、筐体内に実装された基板の電極と接離する接点を基板側の面に配されていることが多い。
【０００３】
従来の防水型携帯電話機は、キーパットのシート部を筐体と基板で狭持してキーボタンと筐体との隙間から筐体内への水の浸入を防止しているものが多い。このような従来技術として特開平７−３３６２６３号公報などを参照されたい。
【０００４】
従来の携帯電話機を図面を用いて説明する。図３は、従来の一例に係る防水型携帯電話機であり、（Ａ）は斜視図、（Ｂ）はＣ−Ｃ’間の断面図である。このような従来の携帯電話機１０１は、キーボタン１０３とその可動部であるシート部１０４とからなるキーパットを有しており、キーパットのシート部１０４を筐体のリブ１０６と基板１０５とで挟持することで水滴等の液体の侵入を防いでいた。
【０００５】
【発明が解決しようとする課題】
しかし、キーパットは、外観部品であるとともに、可動及び防水のための機能部品として寸法精度も求められ、外観及び機能の両方を満足する部品を生産するには、歩留まりの向上が難しかった。そのため生産性が低下することもあった。
【０００６】
また、キーボタンは、通常、シート及び接点と一体になっているため、いずれかに不備がある場合は、キーボタンとシートと接点のすべてを廃棄しなければならなかった。
【０００７】
そのうえ、従来の携帯電話機は、キーボタンを押した場合、基板が下側に押されるため、筐体とキーパットのシート部との接触部分が開く場合があり、特に、近年の薄型化・軽量化によって筐体の剛性が低くなった場合には、かかる接触部分が容易に開き、防水効果が低下する危険性がある。
【０００８】
本発明の目的は、キーボタンの歩留まりを向上させるとともに、部材を有効に利用し、防水効果を向上させることができる防水型携帯電話機を提供することである。
【０００９】
【課題を解決するための手段】
本発明の視点においては、操作面を有し、前記操作面から筐体内に水が浸入するのを防止した防水型携帯電話機において、前記操作面側の所定の位置に配された所定数の電極を有する基板と、前記基板を内部に実装するとともに、前記操作面側であって前記電極を含む領域で貫通した貫通穴を有する筐体と、前記基板の前記操作面側に配されるとともに、前記貫通穴を内側から密封し、周縁部が前記基板の前記操作面側の面と前記貫通穴周縁部の内壁との間に配され、前記電極と対応する前記基板側の面に前記電極と接離する接点を有するゴムシートと、前記貫通穴を外側から密封するとともに周縁部が前記貫通穴周縁部の外壁上に配されたキーボタン用シートと、前記接点と対応する前記キーボタン用シートの外側の面に配設されたキーボタンと、を備えたキーパットと、前記キーパットを前記キーボタンを除いて覆うとともに、前記キーボタンと対応する位置に前記キーボタンを挿通する挿通孔を有し、前記キーボタン用シートの周縁部を前記貫通穴周縁部の外壁に押圧するようにして前記キーボタン用シートに圧接し、前記筐体に外側から取り外し可能に取り付けられるカバーと、を備えることを特徴とする。
【００１０】
また、前記防水型携帯電話機において、前記ゴムシートは、前記接点と対応する前記操作面側の面に突起を有することが好ましい。
【００１１】
また、前記防水型携帯電話機において、前記ゴムシートは、前記キーボタンと対応する前記基板側の面に突起を有することが好ましい。
【００１２】
また、前記防水型携帯電話機において、前記ゴムシートは、その周縁部が前記基板の前記操作面側の面と前記貫通穴周縁部の内壁で挟持されることが好ましい。
【００１３】
また、前記防水型携帯電話機において、前記ゴムシートは、その周縁部と前記貫通穴周縁部とが接着して前記筐体と一体となることが好ましい。
【００１４】
また、前記防水型携帯電話機において、前記カバーは、前記筐体側の面に掛止爪を有し、前記筐体は、前記掛止爪を係止する係止爪を有することが好ましい。
【００１５】
また、前記防水型携帯電話機において、前記カバーは、外側からネジ手段で前記筐体に固定されることが好ましい。
【００１６】
また、前記防水型携帯電話機において、前記カバーは、前記筐体の側端面を覆うことが好ましい。
【００１７】
【発明の実施の形態】
キーボタンとシートと接点とが一体であったものを、キーボタンとシートからなる外観部と、シートと接点とからなる機能部と、に分割することで、外観部又は機能部に不備があってもどちらか一方の損失、交換で済むため、部材の無駄にはならない。
【００１８】
また、同様にキーパットを外観部と機能部とに分割することで、外観部のシートと機能部のシートとをそれぞれ筐体の外側及び内側から操作面を密封することができるため、防水効果を向上させることが可能となる。
【００１９】
【実施例】
本発明の実施例に係る防水型携帯電話機を図面を用いて説明する。図１は、本発明の一実施例に係る防水型携帯電話機であり、（Ａ）は斜視図、（Ｂ）はＡ−Ａ’間の断面図である。この携帯電話機１は、筐体２と、キーパット５と、基板８と、ゴムシート１０と、キーパット用カバー１３とを有する。
【００２０】
筐体２は、操作面側であって前記電極を含む領域で貫通した空所３（貫通穴）と、この空所３のまわりの筐体外面にカバーの掛止爪部１５を係止する係止爪部４と、を有する。
【００２１】
キーパット５は、キーボタン６と、キーボタン用シート７と、からなる。キーボタン６は、ゴムシートの接点１１を有する基板側突起２０と対応するキーボタン用シート７の外側の面に配設される。キーボタン用シート７は、その周縁部１８が筐体の空所周縁部１６の外壁とキーパット用カバーのリブ１７とで狭持され、筐体の空所３を外側から密封する。
【００２２】
基板８は、前記筐体２内に実装されるとともに、操作面側の所定の位置に配された所定数の電極９を有する。電極９は、ゴムシートの基板側突起２０の接点１１と接離する。
【００２３】
ゴムシート１０は、その周縁部１９が基板８の操作面側の面と筐体の空所周縁部１６の内壁と狭持され、前記筐体の空所３を内側から密封するとともに、基板の電極９と対応する基板側の面に電極９と接離する接点１１を有し、接点１１を有する基板側突起２０と対応する操作面側の面に突起１２を有する。
【００２４】
キーパット用カバー１３は、キーパット５をキーボタン６の操作面を除いて覆うとともに、キーボタン６と対応する位置にキーボタン６を挿通する挿通孔１４を有し、その筐体側の面に筐体の係止爪部４に引っ掛かる掛止爪１５を有し、前記キーボタン用シートの周縁部１８を前記筐体の空所周縁部１６の外壁に押圧するようにしてキーボタン用シート７に圧接し、筐体２に取り付けられる。
【００２５】
本発明の他の実施例に係る防水型携帯電話機について図面を用いて説明する。図２は、本発明の一実施例に係る防水型携帯電話機であり、（Ａ）は斜視図、（Ｂ）Ｂ−Ｂ’間の断面図である。この防水型携帯電話機２１の外観については、図１（Ａ）と同様である。
【００２６】
図１に係る防水型携帯電話機との違いは、ゴムシートの周縁部３９と筐体の空所周縁部３６とが接着して、ゴムシート３０と筐体２２とが一体となっていることである。こうすることでも防水の効果を向上させることができる。この場合でも、キーパット２５がゴムシート３０と別部品であるため外観部品であるキーボタン２６の不備により、生産性を低下させる事はない。
【００２７】
その他、図１（Ｂ）のような係止爪部４や掛止爪部１５を使用せずに、ネジ等の別部品によってキーパット用カバー１３を筐体に固定することもできる。
【００２８】
また、図１（Ｂ）のようなキーパット用カバー１３が筐体２の側端面に延長されて、筐体２のキーボタン用シート１８側がキーパット用カバー１３の内側に入り込み、キーパット用カバーの側面が筐体のキーボタン側の部分を覆い隠してしまう構造でもよい。
【００２９】
【発明の効果】
本発明によれば、外観及び機能部品である従来のキーパットを外観部と機能部を分割しているため、どちらか片方に不具合が発生したとしても、生産性低下を最小限にとどめることが可能である。つまり、外観的に不備が有るキーボタンがある場合は機能部であるゴムシートを廃棄する必要が無く、逆に、寸法不良のゴムシートがある場合はキーボタンを廃棄しなくてもすむ。
【００３０】
また、寸法の精度を要求されるゴムシートが他部品であるキーボタンと接着されていないため、組み込みでの位置ズレなどによるゴムシートの防水機能低下を防ぐことができる。
【００３１】
また、キーボタンが押されることで基板が下側に下がったり反ったりして、ゴムシートと筐体の接触部分が開いた場合でも、キーボタン用シートが筐体の外側から筐体に押し込まれ追従するため、防水効果の低下を最小限に抑えることができる。
【００３２】
その他に、組み込み後に外観部品であるキーボタンの不備が見つかった場合、従来の携帯電話と異なり、筐体を分解して電子部品基板を取り出さなくても済むため、組み直し時間の短縮につながる。
【００３３】
また、色違い等の仕様の違うキーボタンを用意しておくことにより、携帯者が容易にかつ安全にキーボタンを交換することができて、携帯者固有の仕様の携帯電話が作りやすくなる。
【図面の簡単な説明】
【図１】本発明の一実施例に係る防水型携帯電話機であり、（Ａ）は斜視図、（Ｂ）はＡ−Ａ’間の断面図である。
【図２】本発明の一実施例に係る防水型携帯電話機であり、（Ａ）は斜視図、（Ｂ）はＢ−Ｂ’間の断面図である。
【図３】従来の一例に係る防水型携帯電話機であり、（Ａ）は斜視図、（Ｂ）はＣ−Ｃ’間の断面図である。
【符号の説明】
１、２１  携帯電話機
２、２２  筐体
３、２３  空所
４、２４  係止爪部
５、２５  キーパット
６、２６  キーボタン
７、２７  キーボタン用シート
８、２８  基板
９、２９  電極
１０、３０  ゴムシート
１１、３１  接点
１２、３２  突起
１３、３３  キーパット用カバー
１４、３４  貫通孔
１５、３５  掛止爪部
１６、３６  筐体の空所周縁部
１７、３７  リブ
１８、３８  キーボタン用シートの周縁部
１９、３９  ゴムシートの周縁部
２０、４０  突起
１０１  携帯電話機
１０２  筐体
１０３  キーボタン
１０４  シート部
１０５  基板
１０６  リブ
【図１】
0003570939.tif 000002
【図２】
0003570939.tif 000003
【図３】
0003570939.tif 000004